(57)【要約】      （修正有）【課題】携帯に便利でUSB読み出し面を保護できる、携帯型記憶装置を提供する。【解決手段】携帯型記憶装置は、携帯型記憶装置内部に組み込まれた回路板上の記憶ユニットに電子データを保存し、携帯型記憶装置に設置されたUSBコネクタをUSB読み出しポートに接続し、携帯型記憶装置内の電子データを読み出すことができ、携帯型記憶装置の外殼が２枚のカバーケースから構成され、そのうち１枚のカバーケースに湾曲蓋体が設けられ、湾曲蓋体が湾曲されると、USB接続ポートの読み出し面が露出され、湾曲蓋体が元の状態を回復すると、USB接続ポートの読み出し面が被覆され、読み出し面の損傷を防止することができる。【選択図】図２
0003141999.tif 000002
【実用新案登録請求の範囲】
【請求項１】
携帯型記憶装置であって、第一カバーケース、回路板、第二カバーケースを含み、そのうち、前記第一カバーケース上に凹陥部が設けられ、前記回路板は前記第一カバーケースの前記凹陥部内に組み込まれ、且つ、前記回路板にUSB読み出し面が設けられ、前記第二カバーケースは軟性材質から成り、且つ、前記第一カバーケースと相互に閉じ合わせられ、前記第二カバーケースの一平面上に湾曲蓋体が設けられ、前記湾曲蓋体と前記第二カバーケースの接続箇所に湾曲部が設けられたことを特徴とする、携帯型記憶装置。        
【請求項２】
前記第一カバーケース上にUSBコネクタが設けられたことを特徴とする、請求項１に記載の携帯型記憶装置。
【請求項３】
前記第一カバーケースの外部平面上に各種図案を貼付可能であることを特徴とする、請求項１に記載の携帯型記憶装置。     
【請求項４】
前記第二カバーケース上に吊り下げ孔を設けたことを特徴とする、請求項１に記載の携帯型記憶装置。
【請求項５】
前記第二カバーケースの外部平面上に各種図案を貼付可能であることを特徴とする、請求項１に記載の携帯型記憶装置。     
【請求項６】
前記湾曲蓋体上に凹陥部を設けたことを特徴とする、請求項１に記載の携帯型記憶装置。
【考案の詳細な説明】
【技術分野】
【０００１】
本考案は携帯型記憶装置に関し、電子データを保存し、且つ携帯することができ、携帯型記憶装置上のUSBコネクタをUSB読み出しポートに接続し、携帯型記憶装置内部の回路板上の記憶ユニットに保存された電子データを読み出すことができるものであり、本考案は特にカード式の携帯型記憶装置に関する。
【背景技術】
【０００２】
科学技術情報の進歩に伴い、人々は業務上の必要性により、形状的に大量の電子データを記録する必要があり、このため、電子データをコンピュータのハードディスクに保存して保護し、隨時取り出して使用することができるようにしているが、ハードディスクに保存されたデータは携帯することができず、電子データをフロッピー（登録商標）ディスクに保存し、携帯できるようにするが、フロッピー（登録商標）ディスクの保存可能な容量は小さすぎ、大容量の電子データや多くのファイルを保存することはできないため、市場では大量の電子データを保存でき、且つ携帯可能なUSB携帯型記憶装置が開発されており、USB携帯型記憶装置は極めて高い使用率とニーズがあり、且つ、USB携帯型記憶装置の絶え間ない発展と進化に伴い、携帯型記憶装置の記憶容量は徐々に大きくなり、体積は徐々に小さくなって携帯時の利便性が向上されている。
【０００３】
図１に従来の携帯型記憶装置を示す。この図に示すように、携帯型記憶装置１０は外殻体１０１、回路板１０２、伝送ケーブル１０３及びUSBコネクタ１０４から構成され、外殻体１０１は中空状の殼体であり、内部に回路板１０２が組み込まれ、回路板１０２上に伝送ケーブル１０３が接続され、且つ、伝送ケーブル１０３末端にUSBコネクタ１０４が接続され、この伝送ケーブル１０３が外殻体１０１外に穿設されると共に、外殻体１０１一面の適切な位置に凹陥部１０５が成型され、伝送ケーブル１０３とUSBコネクタ１０４の設置及び位置決め収納に用いられる。また、この携帯型記憶装置１０は、凹陥部１０５内に収納されたUSBコネクタ１０４を凹陥部１０５の外に押し出して使用するが、この押し出す動作をするとき、伝送ケーブル１０３が湾曲状を呈し、伝送ケーブル１０３が長期間にわたって湾曲されて使用されると、その内部の金属の伝送金属ワイヤが折れて破損しやすく、且つ、USBコネクタ１０４は凹陥部１０５に収納されるものの、やはり外部に露出された状態を呈し、外部物体による衝撃を受けて損傷しやすいため、改良が必要である。
【考案の開示】
【考案が解決しようとする課題】
【０００４】
上述の必要性に鑑みて、本考案の考案者は関連事業に従事した長年の経験に基づき研究を重ね、ついに斬新な携帯型記憶装置の開発に至ったものであり、本考案の主な目的は、携帯に便利でUSB読み出し面を保護することができる、携帯型記憶装置を提供することにある。          
【課題を解決するための手段】
【０００５】
上述の目的を達するため、本考案の携帯型記憶装置は、第一カバーケース、第二カバーケース及び回路板を含み、そのうち、回路板上にUSB読み出し面が設けられ、且つ、第一カバーケースと第二カバーケースの間に組み込まれ、第二カバーケースは軟性の材質であり、カバーケース上に湾曲蓋体が設けられ、この湾曲蓋体と殼体の接続箇所に湾曲部が形成され、湾曲蓋体と湾曲部が常態的に一体を形成し、湾曲部が一定方向に湾曲されると、湾曲蓋体が相対して一定方向に向かって湾曲され、また、湾曲蓋体が湾曲されると、USB読み出し面が殼体外に露出され、USB読み出し装置に接続することができ、湾曲蓋体恢が元の位置に戻されると、湾曲蓋体がUSB読み出し面を覆い、USB読み出し面が保護される。        
【考案を実施するための最良の形態】
【０００６】
本考案の内容について、以下、図面に基づき詳細に説明する。
【０００７】
図２に本考案の立体分解図を示す。この図に示すように、携帯型記憶装置２０は、第一カバーケース２０１、第二カバーケース２０２及び回路板２０３を含み、第一カバーケース２０１と第二カバーケース２０２は薄型の外殻体であり、そのうち、第一カバーケース２０１の一平面上に凹陥部２０１１が形成され、回路板２０３をこの凹陥部２０１１内に組み込むために用いられ、その後第二カバーケース２０２を第一カバーケース２０１に閉じ合わせ、回路板２０３が第一カバーケース２０１と第二カバーケース２０２の間に組み込まれる。また、第二カバーケースの外縁近くの位置に吊り下げ孔２０４が形成され、ひもを穿設して吊り下げるために用いることができる。
【０００８】
図３に本考案の立体外観図を示す。この図に示すように、携帯型記憶装置２０は、第一カバーケース２０１にUSBコネクタ２０１２が突出して設けられ、第二カバーケース２０２は軟性材質から成り、且つ、一平面上に湾曲蓋体２０２１が設けられ、この湾曲蓋体２０２１と第二カバーケース２０２の接続箇所に湾曲部２０２２が設けられ、且つ、この湾曲部２０２２は湾曲蓋体２０２１と常態的に一体として連結されており、湾曲蓋体２０２１に一定方向に力が施されると、湾曲蓋体２０２１が相対して湾曲部２０２２に湾曲運動をさせ、第一カバーケース２０１上のUSBコネクタ２０２２がカバーケース外に露出される。図４に示すように、湾曲蓋体２０２１が一定方向に湾曲されると、USBコネクタ２０２２上に設けられたUSB読み出し面２０３１が同時にカバーケースの外に露出される。さらに図５に示すように、湾曲蓋体２０２１上には凹陥部２０２１１が設けられ、また第二カバーケース２０２が軟性材質から成るため、湾曲部２０２２は弾力を備えており、湾曲蓋体２０２１に対する施力を停止すると、湾曲部２０２２が弾性で施力前の状態を回復し、相対して湾曲蓋体２０２１が連動され、元の位置に戻り、湾曲蓋体２０２１が元の位置を回復すると、湾曲蓋体２０２１上の凹陥部２０２１１がUSB読み出し面２０３１全体を覆い、外部の物体の衝撃により損傷を受けることがなく、USB読み出し面２０３１の保護効果が達成される。且つ、携帯型記憶装置２０は薄型の第一カバーケース２０１と第二カバーケース２０２から成るため、携帯の利便性が向上される。
【０００９】
図６に本考案の最良の使用例１を示す。この図に示すように、携帯型記憶装置２０は、湾曲蓋体２０２１に適切な力を施し、湾曲蓋体２０２１を湾曲状態にした後、カバーケースの外に露出されたUSBコネクタ２０１２をコンピュータ本体３０上に設置されたUSBスロット３０１に挿入することができ、このUSBコネクタ２０１２とUSBスロット３０１の相互連結により、携帯型記憶装置２０内の電子データを読み出すことができる。または、USB読み出しポート４０を備えた伝送ケーブル４０１に挿入し、そのUSBコネクタ２０１２とUSB読み出しポート４０の相互連結により、携帯型記憶装置２０内の電子データを読み出すことができる。
【００１０】
図７に本考案の最良の使用例２を示す。この図に示すように、携帯型記憶装置２０は、第一カバーケース２０１と第二カバーケース２０２外部の平面上に広告デザインの印刷や各種図案の貼付をすることができ、広告や各種平面デザインの内容を目立たせ、商品やプレゼントの広告目的及び注目を引く効果を達することができる。
【００１１】
上述のように、本考案はその実施後、USB読み出し面が湾曲蓋体上の凹陥部に収納され、湾曲蓋体が湾曲されると、USBコネクタを外部に露出して使用することができ、且つ、名刺型の設計により携帯上の利便性が向上され、確実に携帯に便利でUSB読み出し面を保護できる携帯型記憶装置を提供することができる。
【００１２】
以上で述べた説明は、本考案の最良の実施例に基づくものであり、本考案の実施の範囲を制限するものではなく、関連技術を熟知した者が本考案の要旨の範囲を逸脱せずに行なうあらゆる均等効果を得る変化や修飾はすべて本考案の特許範囲に含まれるものとする。
【００１３】
上述をまとめると、本考案の携帯型記憶装置の効果は実用新案の「産業的利用価値」、「新規性」、「進歩性」等の要件を満たしているため、出願人は特許法の規定に従い、ここに実用新案登録を出願するものである。
【図面の簡単な説明】
【００１４】
【図１】従来品の立体図である。
【図２】本考案の立体分解図である。
【図３】本考案の湾曲蓋体の湾曲動作を示す立体外観図である。
【図４】本考案の立体外観図である。
【図５】本考案の側面図である。
【図６】本考案の最良の使用例１である。
【図７】本考案の最良の実施例２である。
【符号の説明】
【００１５】
１０        携帯型記憶装置
１０１      外殻体
１０２      回路板
１０３      伝送ケーブル
１０４      USBコネクタ
２０        携帯型記憶装置
２０１      第一カバーケース
２０１１    凹陥部
２０１２    USBコネクタ
２０２      第二カバーケース
２０２１    湾曲蓋体
２０２１１  凹陥部
２０２２    湾曲部
２０３      回路板
２０３１    USB読み出し面
２０４      吊り下げ孔
３０        コンピュータ本体
３０１      USBスロット
４０        USB読み出しポート
４０１      伝送ケーブル
【図１】
0003141999.tif 000003
【図２】
0003141999.tif 000004
【図３】
0003141999.tif 000005
【図４】
0003141999.tif 000006
【図５】
0003141999.tif 000007
【図６】
0003141999.tif 000008
【図７】
0003141999.tif 000009